(57)【特許請求の範囲】
【請求項１】
複数の異なるトラブルが装置内で発生していることを検出することのできる画像形成装置であって、
前記発生している複数の異なるトラブルのうち所定のトラブルに関してその具体的内容又は処理内容と、他のトラブルに関してその内容とを同時に表示する表示手段と、
前記表示手段によって具体的内容又は処理内容が表示されていない他のトラブルの具体的内容又は処理内容を表示させる旨を指示する指示手段と、
前記指示手段の指示出力に応答して、前記他のトラブルの具体的内容又は処理内容を表示するように前記表示手段を制御する制御手段とを備え、
前記複数の異なるトラブルには予め優先順位が設けられており、
前記表示手段は、発生している複数のトラブルのうち、前記優先順位が最上位のトラブルの具体的内容又は処理内容を最初に表示する、画像形成装置。
【請求項２】
前記制御手段は、前記他のトラブルの具体的内容又は処理内容を前記優先順位に従って順に表示するように前記表示手段を制御する、請求項１に記載の画像形成装置。
【請求項３】
前記指示手段はタッチキーであり、
前記制御手段は、前記タッチキーによりオンされた他のトラブルの具体的内容又は処理内容を表示するように前記表示手段を制御する、請求項１に記載の画像形成装置。
【請求項４】
前記表示手段は、他のトラブルに関しては、その内容を絵文字として表示することを特徴とする請求項１に記載の画像形成装置。
【請求項５】
前記指示手段は前記絵文字をタッチキーとし、
前記制御手段は、前記タッチキーによりオンされた他のトラブルの具体的内容又は処理内容を表示するように前記表示手段を制御する請求項４に記載の画像形成装置。
【請求項６】
前記複数の異なるトラブルが発生していることを報知する報知手段を有することを特徴とする請求項１に記載の画像形成装置
【発明の詳細な説明】
【０００１】
【産業上の利用分野】
この発明は画像形成装置に関し、特に各種トラブルの表示を行なう操作パネルを有した画像形成装置に関するものである。
【０００２】
【従来の技術】
従来の複写機等の画像形成装置では、警告が複数個発生すると絵文字のみを用いてそれらの警告を表示したり、あるいは警告のメッセージを出す場合は優先度の高い警告のメッセージのみを表示していた。
【０００３】
【発明が解決しようとする課題】
上記のように従来の画像形成装置の警告の表示方法は、警告が複数個発生すると、すべてを絵文字を使って表示するかまたは優先順位の高い警告のみを具体的に表示するといった方法であった。前者の方法では、絵文字の表示だけなので慣れないユーザには何を伝えたいのか解りにくく、また後者の方法では、他の警告の発生に気が付かないおそれがあった。
【０００４】
この発明は上記のような課題を解決するためになされたもので、すべての警告内容をわかりやすく表示することができる画像形成装置を提供することを目的とする。
【０００５】
【課題を解決するための手段】
この発明に係る画像形成装置は、複数の異なるトラブルが装置内で発生していることを検出することのできる画像形成装置であって、前記発生している複数の異なるトラブルのうち所定のトラブルに関してその具体的内容又は処理内容と、他のトラブルに関してその内容とを同時に表示する表示手段と、前記表示手段によって具体的内容又は処理内容が表示されていない他のトラブルの具体的内容又は処理内容を表示させる旨を指示する指示手段と、前記指示手段の指示出力に応答して、前記他のトラブルの具体的内容又は処理内容を表示するように前記表示手段を制御する制御手段とを備え、前記複数の異なるトラブルには予め優先順位が設けられており、前記表示手段は、発生している複数のトラブルのうち、前記優先順位が最上位のトラブルの具体的内容又は処理内容を最初に表示する。
好ましくは、前記制御手段は、前記他のトラブルの具体的内容又は処理内容を前記優先順位に従って順に表示するように前記表示手段を制御する。
また、好ましくは、前記指示手段はタッチキーであり、前記制御手段は、前記タッチキーによりオンされた他のトラブルの具体的内容又は処理内容を表示するように前記表示手段を制御する。
また、好ましくは、前記表示手段は、他のトラブルに関しては、その内容を絵文字として表示する。
さらに好ましくは、前記指示手段は前記絵文字をタッチキーとし、前記制御手段は、前記タッチキーによりオンされた他のトラブルの具体的内容又は処理内容を表示するように前記表示手段を制御する。
また、好ましくは、前記複数の異なるトラブルが発生していることを報知する報知手段を有する。
【０００６】
【作用】
この発明においては、指示出力に応答して、他のトラブルの内容が表示手段によって表示される。
また、他のトラブルの内容が予め設けられた優先順位に従って順に表示される。
さらに、タッチキーによりオンされた他のトラブルの内容が表示される。
【０００７】
【実施例】
図１はこの発明の一実施例による画像形成装置としての複写機の断面構成を示す図である。
【０００８】
図を参照して、複写機本体１は、デスク５上に載置され、上面には循環式の自動原稿搬送装置（以下「ＡＤＦ」と称する）３０が付設され、右側部には複写済みシートを綴じる機能を有するシート処理ユニット５０が付設されている。
【０００９】
（複写機本体）
複写機本体１の内部には矢印ｆ方向に回転駆動可能な感光体ドラム１０が配設され、その周囲には回転方向に沿って、イレーサランプ１１、回転チャージャ１２、磁気ブラシ方式による現像装置１３、転写チャージャ１４、シート分離チャージャ１５、ブレード方式による残留トナーのクリーニング装置１６等が配設されている。なお、これらの作像エレメントの構成および動作は周知であるので、その詳細な説明は省略する。
【００１０】
光学系２０は露光ランプ２１、結像用レンズ２２、種々のミラー、ランプ２１およびミラーを複写倍率に応じて移動させる駆動装置にて構成されている。
【００１１】
一方、複写シートは自動給紙カセット２５ａ、２５ｂに収納されており、いずれかから給紙ローラ２６ａ、２６ｂの回転に基づいて１枚ずつ給紙され、タイミングローラ２７にて感光体ドラム１０上に形成された画像と同期をとって転写部へ送られる。転写部後、シートは定着装置２８へ送り込まれ、トナーの定着を施された後、排出ローラ２９から本体１外へ排出される。本体１のカセット装着部には、シートサイズ検出センサＳＥ１、ＳＥ２が設けられている。カセット２５ａ、２５ｂの突起あるいは磁石等の配列または位置によってセンサＳＥ１、ＳＥ２の動作状態が変化し、これによって、カセット２５ａ、２５ｂのシートサイズを縦置きか横置きかを含めて特定のコードによって判別するようになっている。なおシートの搬送路には、ＳＥ３〜ＳＥ５のジャム検出センサが設けられ、シートの紙詰まり等を検出する。また現像装置１３の内部には、トナーエンプティ検出センサＳＥ６が設けられ、トナーの消費状態を検出する。またクリーニング装置１６の内部には、回収トナーフル検出センサＳＥ７が設けられ、回収されたトナーの量の検出を行なっている。
【００１２】
（自動原稿搬送装置）
ＡＤＦ３０は、原稿トレー３１、給紙トレー３２、搬送ベルト３３、排出トレー３５および原稿サイズ検出センサＳＥ９にて構成されている。このＡＤＦ３０はトレー３１上へ載置された原稿を最上層のものから順次搬送可能としたもので、原稿は第１頁表面を下にしてトレー３１上に載置され、最終頁のものから給紙ローラ３２の回転にて引き出され、図において時計回り方向に回転する搬送ベルト３３と原稿台ガラス１９との間に送り込まれる。原稿は搬送ベルト３３の回転にて原稿台ガラス１９上の所定位置にセットされ、前記光学系２０にて光照射を受ける。画像露光後、原稿は搬送ベルト３３にて原稿台ガラス１９上をへ図中左方向に搬送され、排出ガードローラ３４から画像面を上にしてトレー３５上に排出される。
【００１３】
なお、トレー３１から送り出される原稿は、センサＳＥ９によってそのサイズを縦送りか横送りかを含めて検出される。
【００１４】
また、ＡＤＦ３０は複写機本体１の奥側を支点として上方に回動可能であり、オペレータがマニュアルで原稿を原稿台ガラス１９上にセットする場合の通常の通常の原稿カバーと同様の機能を有する。
【００１５】
（シート処理ユニット）
シート処理ユニット５０は、複写済みシートをトレー８０上に積載収納する機能および、ステープルトレイ５５内に、収納、整合した後電動ステープラ７０で綴じる機能を有している。通紙の切換えは図示しないソレノイドで駆動される切換え爪５２にて行なわれる。排出モードのとき、シートは受入れローラ５１から所定の位置にセットされた切換爪５２の上面にて案内され、排出ローラ５３を通じてトレイ８０上に排出される。ステープルモードのとき、シートは受入れローラ５１から他の所定位置にセットされた切換爪５２の側面にて下方に案内され、収容ローラ５４からステープルトレイ５５へ収容される。
【００１６】
図２は図１の複写機の上面に設けられている、操作パネルの構成を示す図面である。
【００１７】
図を参照して、操作パネル１００は、各種数値を入力するためのテンキー１０１と、入力された値をクリアするためのクリアキー１０２と、複写動作を停止するためのストップキー１０３と、操作パネル上でセットされた内容をリセットするためのパネルリセットキー１０４と、プリント動作を指示するためのプリントキー１０５（プリント可能のときは緑色になっており、プリントが不可能なときはオレンジ色となっている）と、各々にＬＥＤを内蔵して各種状態を設定するための設定キー１０６ａ〜１０６ｊと、複写機の各種設定状態や情報を示すための液晶ディスプレイ（ＬＣＤ）１０７と、テンキー１０１から入力された数値を表示するための７セグメントＬＥＤ１０８とから構成されている。
【００１８】
図３は図１の複写機の内部構成を示すブロック図である。
図を参照して、複写機はたとえばマイクロコンピュータから構成されるＣＰＵ１５０を中心として、ＣＰＵ１５０にその検出結果が出力される各種センサ１５３と、設定された情報が入力される各種キー１５４と、その他の部分１５５とがあり、一方ＣＰＵ１５０からは、操作パネルのＬＣＤ１０７を駆動するためのドライバ回路１５２に制御信号を与え、その他の部分１５６にも各種制御信号を与える。なお、ＣＰＵ１５０には、各種情報等の記憶に用いるためのＲＡＭ１５１が接続されている。
【００１９】
図４は図１の複写機の複写動作のメインルーチンを示すフローチャートである。
【００２０】
メインスイッチがＯＮされると、まずステップＳ１で初期設定が行なわれ、ステップＳ２で１ルーチンの長さを決める時間が内部タイマによってセットされる。次にステップＳ３において、各種センサ、キーから入力された信号の受付処理が行なわれ、この入力信号が異常であれば、異常に応じた警告コードが作成される。続いてステップＳ４で警告に関する表示処理が行なわれる。なお、この表示処理については、後に詳細に説明する。
【００２１】
ステップＳ５で、プリントスイッチがオンされたか否かが判別され、プリントスイッチがＯＮされたときは、ステップＳ６で複写動作が行なわれる。ステップＳ７で内部タイマの終了を待ってフローはステップＳ２に戻り、以下同様の複写動作が繰返される。
【００２２】
図５は図４の表示処理内容の具体的な構成を示すフローチャートである。
表示処理ルーチンに入ると、ステップＳ４０で、警告が発生しているかどうかの確認処理が行なわれ、次にステップＳ４１で、警告が発生しているときは、その数が確認され、さらにステップＳ４２で、発生している警告が表示された後フローは図４のメインルーチンに戻る。なおステップＳ４０からステップＳ４２の各々の処理内容については以下に詳しく説明する。
【００２３】
図６は図５の警告確認ルーチンの具体的内容を示すフローチャートである。
なおこの実施例では、図８に示すように、４つの警告を対象としており、その警告の優先順位は図のとおりである。すなわち、警告Ｎｏ．の第１位として、紙詰まり表示（以下「警告１」と称する）があり、第２位としてトナー補給表示（以下「警告２」と称する）があり、第３位としてコピー除去表示（以下「警告３」と称する）があり、第４位としてメインテナンスコール表示（以下「警告４」と称する）がある。なお各々の警告に対する絵文字の内容は図のとおりである。
【００２４】
図６のフローを参照して、警告確認ルーチンに入ると、まずステップＳ４０１において、警告１が発生しているか否かが判別される。すなわちジャム検出センサＳＥ３〜ＳＥ５のいずれかから、ジャムが検出され紙詰まりの表示を行なう必要がある場合である。この警告１が発生しているときは、ステップＳ４０２において、警告１の発生フラグをセットし、かつ警告１の絵文字を操作パネルＬＣＤ１０７に表示させる。
【００２５】
一方、警告１が発生していないときは、ステップＳ４０３で、警告１の発生フラグをリセットし、かつ警告１の内容を示す絵文字を操作パネルのＬＣＤ１０７から消去する。
【００２６】
次に以下同様の要領で、警告２から警告４の各々の発生の有無について判別され、その結果によって、各種発生フラグのセットまたはリセットおよび各々の警告に対応する絵文字の表示または消去を行なった後フローはリターンする。このように警告の優先順位の順番で警告の発生の有無を判断するので、ＬＣＤ１０７には優先順位の高いものから表示されることになる。
【００２７】
図７は図５の警告数確認ルーチンの具体的内容を示すフローチャートである。警告数確認ルーチンに入ると、ステップＳ４１３で警告が２つ以上であるか否かが判別される。警告が２つ以上の場合は、ステップＳ４１４において、操作パネル１００のヘルプキー１０６ａを点滅させた後フローはリターンするが、警告が２つ以上でないとき、すなわち警告が１以下のときは、フローはそのままリターンする。
【００２８】
図９および図１０は図５の警告表示ルーチンの具体的内容を示すフローチャートである。
【００２９】
警告表示ルーチンに入ると、ステップＳ４１５で警告があるか否かが判別され、警告がないときは、警告表示の必要はないため、フローはそのままリターンする。
【００３０】
一方、警告がある場合は、ステップＳ４１６において、警告が表示されているか否か、すなわち以下に示す警告１から警告４の表示フラグがセットされているか否か、言い換えれば、ＬＣＤ１０７上に警告の具体的内容又は処理内容が表示されているか否かが判別される。警告が表示されているときは、ステップＳ４１７で、ヘルプキーがオンされたか否かが判別される。ヘルプキーがオンされていないときは、フローはそのままリターンするが、ヘルプキーがオンされたときはフローは図１０のステップＳ４２２以下の内容に移る。
【００３１】
一方、ステップＳ４１６で警告が表示中でないときは、ステップＳ４１８で、警告１の発生フラグがセットされているか否かが判別される。このフラグがセットされているときは、フローはステップＳ４３７に進み、警告１の具体的内容又は処理内容を示す画面が操作パネルのＬＣＤ１０７に表示され、かつ警告１の内容を表示している旨を示す警告１表示中フラグがセットされた後フローはリターンする。
【００３２】
警告１の発生フラグがセットされていないときは、ステップＳ４１９以下のフローに進み、警告２から警告４の内容について警告１と同様の処理が行なわれる。すなわち警告の発生フラグがセットされているときは、その具体的内容又は処理内容を操作パネルのＬＣＤ１０７に表示し、かつその警告に対応する表示中フラグをセットした後フローはリターンする。なお警告１から警告４の発生フラグがいずれもセットされていないときは、フローはステップＳ４２１からステップＳ４２２に進む。
【００３３】
ステップＳ４２２において、警告１の具体的内容又は処理内容が操作パネルに表示中であるか否かが判別される。この判別は警告１表示フラグのセットの有無で行なわれる。警告１の内容が表示中である場合は、ステップＳ４２３で警告１の内容をＬＣＤ１０７から消去し、かつ警告１表示中をフラグをリセットする。そして、ステップＳ４２４で警告２の発生フラグがセットされているか否かが判別される。このとき警告２の発生フラグがセットされている場合は、フローはステップＳ４３８に進み、警告２の具体的内容又は処理内容を示す画面が表示され、警告２表示中のフラグがセットされた後フローはリターンする。ステップＳ４２３で警告２の発生フラグがセットされていないときは、ステップＳ４２５およびステップＳ４２６で上記と同様の処理が行なわれる。すなわち、警告３または警告４の発生フラグのセットの有無が判別され、警告３の発生フラグがセットされているときは、フローはステップＳ４３９に進み、警告３の発生フラグがセットされておらず、かつ警告４の発生フラグがセットされている場合はフローはステップＳ４４０に進み各々のステップでの処理を終了した後フローはリターンする次にステップＳ４２２において、警告１の内容が表示中でないときは、ステップＳ４２７において、警告２の内容が表示中であるか否かが判別される。警告２の内容が表示されているときは、ステップＳ４２８以下の処理に進み、上記と同様の処理が繰返される。
【００３４】
一方、ステップＳ４２７において、警告２の内容が表示中でないときは、ステップＳ４３２において、警告３の内容が表示されているか否かが判別される。警告３の内容が表示されているときは、ステップＳ４３３以下の処理によって、やはり上記と同様の処理が行なわれた後フローはリターンする。なおステップＳ４３２において、警告３の内容も表示されていないときは、フローはそのままリターンする。
【００３５】
このように、ヘルプキーのオン毎にフローはステップＳ４１７からステップＳ４２２に進み上記の処理がなされるので、言い換えれば、ヘルプキーのオン動作は警告の表示内容をＬＣＤ１０７において切り替える要請を意味する。
【００３６】
図１１は図６から図１０のフローの処理内容をわかりやすく説明するための操作パネルのＬＣＤ１０７の表示内容を示す図である。
【００３７】
この例では、警告内容として、トナー補給表示と、コピー除去表示と、メインテナンスコール表示との３つの警告が行なわれている場合の例を示している。この場合、図１１の（１）に示されているように、液晶ディスプレイ１０７の左上上部に、警告の優先順位の順序ですなわちトナー補給表示、コピー除去表示およびメインテナンスコール表示の各警告内容に対応する絵文字が小さく左から順番に並べられて表示されており、さらにその左横には、現在のその具体的内容又は処理内容が表示されている警告内容に対応する絵文字が拡大されている。図１１の（１）では、この３つの警告の中では最上位の優先順位を示すトナー補給表示の処理内容を示す画面となっている。この場合警告数は３であるので、液晶ディスプレイ１０７の左下に位置するヘルプキー１０６ａが点滅している。
【００３８】
図１１の（１）の状態で、ヘルプキー１０６ａをオンすると、液晶ディスプレイの画面は、図１１の（２）の状態に変化する。すなわち、この図１１の（２）においては、優先順位が次に高い警告の内容であるコピー除去表示の具体的内容を示す画面となっている。この状態においても、ヘルプキー１０６ａは点滅を続けている。
【００３９】
次に図１１の（２）の状態で、ヘルプキー１０６ａをさらにオンすると、液晶パネルディスプレイの画面は図１１の（３）に移る。すなわち図１１の（３）の画面においては、優先順位が一番低いメインテナンスコール表示についての具体的処理内容を示す画面となっている。さらに図１の（３）の状態から、ヘルプキー１０６ａをオンすると画面は図１１の（１）の状態に復帰して画面は１巡する。
【００４０】
なおこの実施例では、警告の発生の報知は液晶ディスプレイ上に表示される絵文字およびヘルプキー１０６ａの点滅としているが、たとえばブザー等の他の手段によって複数の異常が発生していることを報知するような構成とすることも可能である。
【００４１】
図１２はこの発明の第２の実施例による操作パネルにおける液晶ディスプレイの表示内容の変化を示した図であり、図１３は図１２の表示内容に対応したフローチャートである。
【００４２】
この実施例においても、先の実施例と同様に３つの警告内容すなわちトナー補給表示とコピー除去表示と、メインテナンスコール表示とを警告表示するものとしている。
【００４３】
そして、先の実施例と同様の方法で、それぞれの警告が発生しているか否かをチェックし、警告が発生していればその警告に対応する絵文字を液晶ディスプレイ上に表示する。ここでこの絵文字は図１２の（１）に示されているように、液晶ディスプレイ１０７の左欄の部分１〜４の部分に表示されており、これらの部分に示されている絵文字がキーの役目をする。すなわち優先順位度が一番高い紙詰まり表示は１の部分（警告１キー）に表示されるべきであるが、この例においては、紙詰まり表示が発生していないため、この位置には絵文字は表示されていない。２の部分（警告２キー）には、トナー補給表示に対応する絵文字が表示され、３の部分（警告３キー）には、コピー除去表示に対応する絵文字が表示され、４の部分（警告４キー）には、メインテナンスコール表示に対応する絵文字が表示されている。この例においては、２の部分をタッチキーとしてオンすると、図１２の（１）に示すように、トナー補給表示の処理内容が液晶ディスプレイ上に表示される。次にたとえば３の部分をオンすると、画面は図１２の（２）の内容に移り、コピー除去表示の具体的内容が表示される。さらに４の部分をオンすると、図１２の（３）のように、メインテナンスコール表示の処理内容が表示される。このように１から４の部分の各々に絵文字が表示されている場合は、その絵文字を警告キーとしてオンすることによって、それに対応する警告内容の具体的な処理内容又は処理内容が液晶ディスプレイ上に表示されることになる。
【００４４】
これによって、先の実施例のようなヘルプキーの点滅はないが、液晶画面中に複数の絵文字が表示されることによって、複数のトラブルの発生がユーザに知らされることになる。
【００４５】
図１３はこの第２の実施例のにおける警告表示ルーチンの具体的内容を示すフローチャートである。
【００４６】
ステップＳ４５１において、警告１キーすなわち図１２においては１の部分のキーがオンされたか否かが判別される。このキーがオンされた場合は、ステップＳ４５２において、警告１発生フラグがセットされている否かが判別される。警告１の発生フラグがセットされているときは、ステップＳ４５３において、警告１の具体的内容又は処理内容を示す画面が表示された後フローはリターンするが、警告１の発生フラグがセットされていないときはそのままフローはリターンする。
【００４７】
一方ステップＳ４５１において、警告１キーがオンされていないときは、ステップＳ４５４において、警告２キーすなわち図１２においての部分がオンされたか否かが判別される。このキーがオンされているときはステップＳ４５５において、警告２発生フラグがセットされているか否かが判別される。このフラグがセットされているときはステップＳ４５６において、警告２に対する具体的内容又は処理内容を示す画面が表示された後フローはリターンする。以下同様にステップＳ４５７およびＳ４６０において、警告３キーおよび警告４キーについての処理が行なわれる。
【００４８】
なお、図１２の（１）に示すように、▲１▼の部分に絵文字が表示されていない場合は、たとえ警告１キーがオンされても、警告１発生フラグがセットされていないため、画面には何も表示されずまたは画面は切り換らず、フローはそのままリターンすることになる。このように、第２の実施例ではヘルプキーの代わりにタッチパネル式の警告キーを用いて画面の表示切換えを行なうので、警告の内容を任意の順番で呼び出すことができる。
【００４９】
【発明の効果】
この発明は以上説明したとおり、画像形成装置内で複数のトラブルが発生した場合に、優先順位が最上位のトラブルの具体的内容又は処理内容を最初に表示し、他のトラブルの内容も同時に表示し、しかも、指示手段に応答して他のトラブルの具体的内容又は処理内容が表示手段によって表示されるので、発生しているトラブルを知ることができる上、優先順位が最上位のトラブルの具体的内容又は処理内容を確認できるとともに、しかも、複数のトラブルの具体的内容又は処理内容を容易に知ることができ、使い勝手が向上する。
【図面の簡単な説明】
【図１】この発明の第１の実施例による複写機の断面構成を示す図である。
【図２】図１の複写機の上部に設けられた操作パネルの内容を示した図である。
【図３】図１の複写機の内部構成を示したブロック図である。
【図４】図１の複写機の複写動作を示したメインフローチャートである。
【図５】図４の表示処理ルーチンの具体的内容を示すフローチャートである。
【図６】図５の警告確認ルーチンの具体的内容を示すフローチャートである。
【図７】図５の警告数確認ルーチンの具体的内容を示すフローチャートである。
【図８】この発明の第１の実施例において用いられた警告内容の具体的内容を示した表である。
【図９】図５の警告表示ルーチンの具体的内容を示すフローチャートの一部である。
【図１０】図５の警告表示ルーチンの具体的内容を示すフローチャートの他の一部である。
【図１１】この発明の第１の実施例による液晶ディスプレイの表示内容の変化を示した図である。
【図１２】この発明の第２の実施例による液晶ディスプレイの表示内容の変化を示した図である。
【図１３】この発明の第２の実施例による警告表示ルーチンの具体的内容を示すフローチャートである。
【符号の説明】
１００  操作パネル
１０６ａ  ヘルプキー
１０７  液晶ディスプレイ
１５０  ＣＰＵ
１５２  ドライバ回路
１５３  各種センサ
１５４  各種キー
ＳＥ１〜ＳＥ７  各種検出センサ
なお、各図中同一符号は同一または相当部分を示す。
【図１】
0003649410.tif 000002
【図２】
0003649410.tif 000003
【図３】
0003649410.tif 000004
【図４】
0003649410.tif 000005
【図５】
0003649410.tif 000006
【図６】
0003649410.tif 000007
【図７】
0003649410.tif 000008
【図８】
0003649410.tif 000009
【図９】
0003649410.tif 000010
【図１０】
0003649410.tif 000011
【図１１】
0003649410.tif 000012
【図１２】
0003649410.tif 000013
【図１３】
0003649410.tif 000014